(57)【特許請求の範囲】
【請求項１】
第１の引き手部材と、第２の引き手部材とを含み、建具に用いられる引き手装置であって、
前記第１の引き手部材及び第２の引き手部材のそれぞれは、外枠部と、仕切片と、フランジ部とを含んでおり、
前記外枠部は、細長い四角形状であって、内側に内部空間を有し、前記内部空間は少なくとも一端側が開口されており、
前記フランジ部は、前記内部空間の開口する前記一端側において、前記外枠部の外側に突出しており、
前記仕切片は、同一幅を保ち、厚み方向に波形の浅深を繰り返しながら長手方向に延びる形状を有し、前記内部空間内に配置され、前記内部空間を、前記外枠部の全長にわたって、第１の空間及び第２の空間に区画し、
前記第１の空間は、前記一端側を基準にした浅深を、前記外枠部の全長にわたって繰り返しており、
前記第２の空間は、前記外枠部の他端側を基準にした浅深を、前記第１の空間とは逆の浅深関係で、前記外枠部の全長にわたって繰り返しており、
前記第１の引き手部材及び第２の引き手部材は、一方の引き手部材における前記第２の空間の浅い部分が、他方の引き手部材における前記第２の空間の深い部分に対応し、一方の引き手部材における前記第２の空間の深い部分が、他方の引き手部材における前記第２の空間の浅い部分に対応する関係で組み合わされる、
引き手装置。
【請求項２】
戸板と、引き手装置とを含む建具であって、
前記戸板は、相対向する両面に開口する少なくとも１つの貫通孔を有しており、
前記引き手装置は、請求項１に記載されたものでなり、
前記引き手装置の前記第１の引き手部材は、前記戸板の一面側から前記貫通孔に挿入されると共に、前記フランジの部分で前記戸板の前記一面側に位置決めされ、
前記引き手装置の前記第２の引き手部材は、前記戸板の他面側から前記貫通孔の内部に挿入されると共に、前記フランジ部が前記戸板の前記他面側に位置決めされる
建具。
【発明の詳細な説明】
【０００１】
【発明の属する技術分野】
本発明は、建具に用いられる引き手部材、引き手装置及び建具に関する。本発明に係る引き手部材、引き手装置及び建具は、特に、バリアフリー住宅に適したものである。
【０００２】
【従来の技術】
高齢化社会を目前にして、バリアフリー住宅の開発、研究及び実施化が進められている。バリアフリー住宅の実現に当っては、身体不自由者及び車椅子生活者が、室内を安全に、かつ、容易に移動できる住宅構造を実現しなければならない。その手段として、床の無段差化や、開閉の容易なドアの研究開発が進められている。
【０００３】
ドアに関しては、回転式開閉の洋式ドアよりも、日本古来の引き戸の方が、身体不自由者及び車椅子生活者にとって、開閉操作が容易であると認識され、回転式洋式ドアから引き戸への転換が行われつつある。
【０００４】
ところが、日本古来の引き戸は、開閉の手がかりになる引き手部分が小さいために、四肢に障害を持つ身体不自由者及び車椅子生活者にとって、その開閉が容易ではない。
【０００５】
そこで、このような問題点を解決する手段として、引き戸に、上下方向に長く伸びる引き手を取り付け、身体不自由者及び車椅子生活者が、身体の可動可能部分で開閉できるようにした引き戸が提案されている。この従来技術においては、引き戸に、予め、取り付け孔を設けておき、この取り付け孔に、引き戸の厚みに一致した厚みを持つ引き手部材を嵌め込んで取り付ける構造となっていた。
【０００６】
しかし、引き戸の厚みは多種多様であるから、引き戸の厚みに一致した厚みを持つ引き手部材を準備しなければならない従来技術では、引き戸の多種多様性に対応することができない。
【０００７】
【発明が解決しようとする課題】
本発明の課題は、種々の厚みを有する建具に対しても、柔軟に対応し得る実用性の高い引き手部材、引き手装置及びこれを組み込んだ建具を提供することである。
【０００８】
【課題を解決するための手段】
上述した課題を解決するため、本発明に係る建具用引き手部材は、外枠部と、仕切片と、フランジ部とを含む。
【０００９】
前記外枠部は内側に内部空間を有し、前記内部空間は少なくとも一端側が開口されている。前記フランジ部は、前記内部空間の開口する前記一端側において、前記外枠部の外側に突出している。
【００１０】
前記仕切片は、前記内部空間内に配置され、前記内部空間を、第１の空間及び第２の空間に区画する。前記第１の空間は、前記一端側を基準にした浅深を、前記外枠部の全長にわたって繰り返す。前記第２の空間は、前記外枠部の他端側を基準にした浅深を、前記第１の空間とは逆の浅深関係で、前記外枠部の全長にわたって繰り返す。
【００１１】
本発明に係る建具用引き手装置は、第１の引き手部材と、第２の引き手部材とを含む。前記第１及び前記第２の引き手部材は、上述した本発明に係る引き手部材であり、一方の引き手部材における前記第２の空間の浅い部分が、他方の引き手部材における前記第２の空間の深い部分に対応し、一方の引き手部材における前記第２の空間の深い部分が、他方の引き手部材における前記第２の空間の浅い部分に対応する関係で組み合わせ可能である。
【００１２】
本発明に係る建具は、戸板と、引き手装置とを含む。前記戸板は、相対向する両面に開口する少なくとも１つの貫通孔を有する。前記引き手装置は上述した本発明に係る引き手装置であり、前記引き手装置の前記第１の引き手部材は、前記戸板の一面側から前記貫通孔に挿入されると共に、前記フランジの部分で前記戸板の前記一面側に位置決めされる。
【００１３】
前記引き手装置を構成する前記第２の引き手部材は、前記戸板の他面側から前記貫通孔の内部に挿入されると共に、前記フランジ部が前記戸板の前記他面側に位置決めされる。
【００１４】
ここで、第１及び第２の引き手部材を構成する本発明に係る引き手部材は、フランジ部を含んでおり、このフランジ部は、内部空間の開口する一端側において、外枠部の外側に突出しているから、第１及び第２の引き手部材を戸板の貫通孔内に挿入した場合、戸板の一面側及び他面側において、フランジ部により、戸板の両面にそれぞれ位置決めされる。
【００１５】
第１の引き手部材は、外枠部の内側に内部空間を有しており、内部空間がその内部に配置された仕切片により、第１の空間及び第２の空間に区画されている。第１の空間は、フランジ部のある一端側を基準にした浅深を、外枠部の全長にわたって繰り返す。第１の空間は、戸板に取り付けられた状態では、戸板の表面側において、外部に現れる。従って、戸板の表面側では、第１の引き手部材に設けられた第１の空間の深い部分を利用して、建具を開閉することができる。
【００１６】
第２の引き手部材も、外枠部の内側に内部空間を有しており、内部空間がその内部に配置された仕切片により、第１の空間及び第２の空間に区画されている。第１の空間は、フランジ部のある一端側を基準にした浅深を、外枠部の全長にわたって繰り返す。戸板に取り付けられた状態では、第１の空間が戸板の裏面側において、外部に現れる。従って、戸板の裏面側では、第２の引き手部材に設けられた第１の空間の深い部分を利用して、建具を開閉することができる。
【００１７】
戸板の厚みが、第１の引き手部材の外枠部の厚みと、第２の引き手部材の外枠部の厚みとの和よりも大きい範囲では、戸板の厚みが変動しても、第１の引き手部材及び第２の引き手部材は、何らの問題も生じることなく、戸板の厚み変化に追従することができる。
【００１８】
しかも、一方の引き手部材における第２の空間の浅い部分が、他方の引き手部材における第２の空間の深い部分に対応し、一方の引き手部材における第２の空間の深い部分が、他方の引き手部材における第２の空間の浅い部分に対応する関係で組み合わされるから、第１及び第２の引き手部材が完全に重なる寸法までは、戸板の厚み減少に追従できる。
【００１９】
【発明の実施の形態】
図１は第１の引き手部材の斜視図、図２は図１の２ー２線に沿った断面図である。図１、２に図示された第１の引き手部材は、外枠部１と、仕切片２と、フランジ部３とを含む。
【００２０】
外枠部１は内側に内部空間を有し、内部空間は少なくとも一端側が開口されている。フランジ部３は、内部空間の開口する一端側において、外枠部１の外側に突出している。
【００２１】
仕切片２は、内部空間内に配置され、内部空間を、第１の空間４及び第２の空間５に区画する。第１の空間４は、一端側を基準にした浅深を、外枠部１の全長にわたって繰り返す。第２の空間５は、外枠部１の他端側を基準にした浅深を、第１の空間４とは逆の浅深関係で、外枠部１の全長にわたって繰り返す。
【００２２】
図３は第２の引き手部材の斜視図、図４は図３の４ー４線に沿った断面図である。図３、４に図示された第２の引き手部材は、外枠部１０と、仕切片２０と、フランジ部３０とを含む。
【００２３】
外枠部１０は内側に内部空間を有し、内部空間は少なくとも一端側が開口されている。フランジ部３０は、内部空間の開口する一端側において、外枠部１０の外側に突出している。
【００２４】
仕切片２０は、内部空間内に配置され、内部空間を、第１の空間４０及び第２の空間５に区画する。第１の空間４０は、一端側を基準にした浅深を、外枠部１０の全長にわたって繰り返す。第２の空間５０は、外枠部１０の他端側を基準にした浅深を、第１の空間４０とは逆の浅深関係で、外枠部１０の全長にわたって繰り返す。
【００２５】
第１及び第２の引き手部材は、プラスチック材料、金属材料もしくは木材またはこれらの組み合わせによって構成できる。好ましい例、プラスチック成形品である。第１及び第２の引き手部材は、不透明、半透明または透明であってもよい。外枠部１、１０の外形は、４角形状に限らず、他の多角形であってもよいし、丸味のある形状であってもよい。仕切片２、２０の形状は、図示の波形の他、矩形の繰り返し等であってもよい。フランジ３、３０は外枠部１、１０の全周に設けてもよいし、部分的に設けてもよい。
【００２６】
図１、２に図示した第１の引き手部材と、図３、４に図示した第２の引き手部材との組み合わせは、引き手装置を構成する。組み合わせにおいて、第１の引き手部における第２の空間５の浅い部分が、第２の引き手部材における第２の空間５０の深い部分に対応し、第１の引き手部材における第２の空間５の深い部分が、第２の引き手部材における第２の空間５０の浅い部分に対応する関係で組み合わされる。より具体的には、第１の引き手部材を構成する外枠部１の内形が、第２の引き手部材の外枠部１０の外形よりも少し大きく、第２の空間５、５０を形成する仕切片２、２０が、互いに重なるような形状になっている。この点については、建具への適用例を参照して更に具体的に説明する。
【００２７】
図５は本発明に係る建具の正面図、図６は図５の６ー６線に沿った断面図である。図示された建具は、引き戸であって、図面上、上下が上框８及び下框９によって支えられる。この建具は、戸板６と、引き手装置７とを含む。戸板６は、相対向する両面に開口する少なくとも１つの貫通孔６１を有する。引き手装置７は、図１、２に図示した第１の引き手部材７１と、図３、４に図示した第２の引き手部材７２とを含む。
【００２８】
第１の引き手部材７１は、戸板６の一面側から貫通孔６１に挿入されると共に、フランジ３の部分で戸板６の一面側に位置決めされる。
【００２９】
第２の引き手部材７２は、戸板６の他面側から貫通孔６１の内部に挿入されると共に、フランジ部３０が戸板６の他面側に位置決めされる。
【００３０】
貫通孔６１は、戸板６の上下方向の端縁から少し内側の位置まで、即ち、戸板６のほぞ全高にわたって形成することが好ましい。第１の引き手部材７１及び第２の引き手部材７２は貫通孔６１の全体を埋めるような長さに設定する。
【００３１】
ここで、第１及び第２の引き手部材７１、７２は、フランジ部３、３０を含んでおり、このフランジ部３、３０は、内部空間の開口する一端側において、外枠部１の外側に突出しているから、第１及び第２の引き手部材７１、７２を戸板６の貫通孔６１内に挿入した場合、戸板６の一面側及び他面側において、フランジ部３、３０により、戸板６の両面にそれぞれ位置決めされる。フランジ部３、３０は、釘、ねじ等の適当な固定手段を用いて、戸板６に固定する。
【００３２】
第１の引き手部材７１は、外枠部１の内側に内部空間を有しており、内部空間がその内部に配置された仕切片２により、第１の空間４及び第２の空間５に区画されている。第１の空間４は、フランジ部３のある一端側を基準にした浅深を、外枠部１の全長にわたって繰り返す。第１の空間４は、戸板６に取り付けられた状態では、戸板６の表面側において、外部に現れる。従って、戸板６の表面側では、第１の引き手部材７１に設けられた第１の空間４の深い部分を利用して、建具を開閉することができる。
【００３３】
第２の引き手部材７２も、外枠部１０の内側に内部空間を有しており、内部空間がその内部に配置された仕切片２０により、第１の空間４０及び第２の空間５０に区画されている。第１の空間４０は、フランジ部３０のある一端側を基準にした浅深を、外枠部１０の全長にわたって繰り返す。戸板６に取り付けられた状態では、第１の空間４０が戸板６の裏面側において、外部に現れる。従って、戸板６の裏面側では、第２の引き手部材７２に設けられた第１の空間４０の深い部分を利用して、建具を開閉することができる。
【００３４】
戸板６の厚みｔ（図６参照）が、第１の引き手部材７１の外枠部１の厚みｔ１（図２参照）と、第２の引き手部材７２の外枠部１０の厚みｔ２（図２参照）との和よりも大きい範囲であれば、戸板６の厚みｔが変動しても、第１の引き手部材７１及び第２の引き手部材７２は、何らの問題も生じることなく、戸板６の厚み変化に追従することができる。
【００３５】
戸板６の厚みｔが減少した場合は、第１のの引き手部材７１における第２の空間５の浅い部分が、第２のの引き手部材７２における第２の空間５０の深い部分に対応し、第１の引き手部材７１における第２の空間５の深い部分が、第２の引き手部材７２における第２の空間５０の浅い部分に対応する関係で組み合わされるから、第１及び第２の引き手部材７１、７２の仕切片２、２０が完全に重なる寸法までは、戸板６の厚みｔの減少に追従できる。
【００３６】
図７は本発明に係る建具の更に別の実施例を示す図である。この実施例では、戸板６の相対する両端に、引き手装置７１０、７２０を設置してある。
【００３７】
【発明の効果】
以上述べたように、本発明によれば、種々の厚みを有する建具に対しても、柔軟に対応し得る実用性の高い引き手部材、引き手装置及びこれを組み込んだ建具を提供することができる。
【図面の簡単な説明】
【図１】本発明に係る第１の引き手部材の斜視図である。
【図２】図１の２ー２線に沿った断面図である。
【図３】第２の引き手部材の斜視図である。
【図４】図３の４ー４線に沿った断面図である。
【図５】本発明に係る建具の正面図である。
【図６】図５の６ー６線に沿った断面図である。
【図７】本発明に係る建具の更に別の実施例を示す図である。
【符号の説明】
１、１０            外枠部１
２、２０            仕切片
３、３０            フランジ部
【図１】
0003643545.tif 000002
【図２】
0003643545.tif 000003
【図３】
0003643545.tif 000004
【図４】
0003643545.tif 000005
【図５】
0003643545.tif 000006
【図６】
0003643545.tif 000007
【図７】
0003643545.tif 000008